(57)【要約】【課題】使用中に簀子からマットレス本体がずれにくく、組み立やすく安価な脚付きマットレスを提供する。【解決手段】マットレス本体１０と、マットレス本体１０を下から支える簀子２０と、簀子２０にそれぞれ着脱可能に連結され、簀子２０を介してマットレス本体１０を床面から持ち上げ支持する６本の脚４０とを有し、簀子２０は、１１枚の簀子板２１と、マットレス本体１０の下面の略全面を覆う矩形状をなし、その前端縁と後端縁との間に１１枚の簀子板２１が前後方向に離間した並列状態で取り付けられた折り曲げ可能且つ通気性を有するシート体２２とを備え、シート体２２の周縁部がスライドファスナー５０によってマットレス本体１０の下面（下部外装体１９）に着脱可能に連結されて、簀子２０がスライドファスナー５０によってマットレス本体１０の下面に着脱可能に連結されている。【選択図】図２
2020103698.tif 000002
【特許請求の範囲】
【請求項１】
前後方向に長い縦長な矩形状のマットレス本体と、前記マットレス本体を下から支える簀子と、前記簀子にそれぞれ着脱可能に連結され、前記簀子を介して前記マットレス本体を床面から持ち上げ支持する複数本の脚とを有し、
前記簀子は、左右方向に長い横長な矩形状の複数枚の簀子板と、前記マットレス本体の下面の略全面を覆う前後方向に長い縦長な矩形状をなし、その前端縁と後端縁との間に前記複数枚の簀子板が前後方向に離間した並列状態で取り付けられた折り曲げ可能且つ通気性を有するシート体とを備え、前記シート体の周縁部がスライドファスナーによって前記マットレス本体の下面に着脱可能に連結されて、前記簀子がスライドファスナーによって前記マットレス本体の下面に着脱可能に連結されていることを特徴とする脚付きマットレス。
【請求項２】
前記シート体は不織布であることを特徴とする請求項１に記載の脚付きマットレス。
【請求項３】
前記スライドファスナーは、一対のファスナーテープと、前記一対のファスナーテープの対向するテープ側縁部にそれぞれ取り付けられた一対のファスナーエレメント列と、前記一対のファスナーエレメント列を噛合・分離させるスライダーとを備え、一方のファスナーテープが前記シート体の周縁部に全周に亘って設けられ、他方のファスナーテープが前記一方のファスナーテープに沿って前記マットレス本体の下面に前後方向に長い縦長な矩形状に設けられていることを特徴とする請求項１又は２に記載の脚付きマットレス。
【請求項４】
前記簀子に着脱可能に連結され、前記複数枚の簀子板の少なくとも左右両端部を下から支えるフレームをさらに有し、前記複数本の脚は、前記フレームにそれぞれ着脱可能に連結されて、前記フレームを介して前記簀子にそれぞれ着脱可能に連結されていることを特徴とする請求項１〜３のいずれか１に記載の脚付きマットレス。
【請求項５】
前記フレームは、前後方向に延びて前記複数枚の簀子板の左右両端部を下から支える左縦桟と右縦桟とを備え、前記左縦桟と前記右縦桟は、それぞれ、同じ長さを有する前縦桟と後縦桟とに分割形成されており、
左右の前記前縦桟の前端部が最も前方に配置された一枚の簀子板の左右両端部にそれぞれ下から重ね合わされた状態でその簀子板の左右両端部にそれぞれ着脱可能に連結され、
左右の前記後縦桟の後端部が最も後方に配置された一枚の簀子板の左右両端部にそれぞれ下から重ね合わされた状態でその簀子板の左右両端部にそれぞれ着脱可能に連結され、
左右の前記前縦桟の後端部と左右の前記後縦桟の前端部とが中央に配置された一枚の簀子板の左右両端部にそれぞれ下から重ね合わされた状態でその簀子板の左右両端部にそれぞれ着脱可能に連結されていることを特徴とする請求項４に記載の脚付きマットレス。
【請求項６】
前記フレームは、左右方向に延びて前記左縦桟と前記右縦桟とを繋ぐ前横桟と後横桟と中横桟とをさらに備え、
前記前横桟は、その左右両端部が左右の前記前縦桟の前端部に下から重ね合わされた状態でその左右の前縦桟の前端部下面間に横架され、前記前横桟の左右両端部が、最も前方に配置された前記一枚の簀子板の左右両端部との間に左右の前記前縦桟の前端部を挟んだ状態で最も前方に配置された前記一枚の簀子板の左右両端部にそれぞれ着脱可能に連結され、
前記後横桟は、その左右両端部が左右の前記後縦桟の後端部に下から重ね合わされた状態でその左右の後縦桟の後端部下面間に横架され、前記後横桟の左右両端部が、最も後方に配置された前記一枚の簀子板の左右両端部との間に左右の前記後縦桟の後端部を挟んだ状態で最も後方に配置された前記一枚の簀子板の左右両端部にそれぞれ着脱可能に連結され、
前記中横桟は、その左右両端部が左右の前記前縦桟の後端部と左右の前記後縦桟の前端部に下から重ね合わされた状態でその左右の前縦桟の後端部の下面と左右の前記後縦桟の前端部の下面間に横架され、前記中横桟の左右両端部が、中央に配置された前記一枚の簀子板の左右両端部との間に左右の前記前縦桟の後端部と左右の前記後縦桟の前端部とを挟んだ状態で中央に配置された前記一枚の簀子板の左右両端部にそれぞれ着脱可能に連結され、
前記脚は、前記各横桟に少なくとも左右２本ずつ着脱可能に連結されていることを特徴とする請求項５に記載の脚付きマットレス。
【請求項７】
前記横桟の前記簀子板への連結部材と前記脚の前記横桟への連結部材はボルトであることを特徴とする請求項６に記載の脚付きマットレス。
【発明の詳細な説明】
【技術分野】
【０００１】
本発明は脚付きマットレスに関する。
【背景技術】
【０００２】
従来、ロール状に巻き取り可能なマットレス本体と、マットレス本体を被うマットレスカバーと、マットレス本体とは別体の折り畳み可能な床材用簀子と、床材用簀子を展開状態に支持する複数本の展開支持板と、各展開支持板に着脱可能な複数の支持脚とから構成され、工場での梱包時、１つの段ボー箱に収容されて出荷される脚付きマットレスが知られている（例えば、特許文献１参照）。
【先行技術文献】
【特許文献】
【０００３】
【特許文献１】実用新案登録第３２１８１７１号公報
【発明の概要】
【発明が解決しようとする課題】
【０００４】
特許文献１の脚付きマットレスは、マットレス本体が、床材用簀子と展開支持板と支持脚とを有してなるマット支持台に載置されるとともに、マットレス本体とマット支持台とが、マットレスカバーによって一体的に被われたもので、マットレスカバーが、マットレス本体を被った状態で、例えば、紐、ベルト、面状ファスナなどを利用して、マット支持台に着脱可能に連結されているために、使用時に床材用簀子からマットレス本体がずれやすく、また組み立て時にマットレスカバーによってマットレス本体とマット支持台とを一体的に被うという煩雑な作業が必要となり、さらにマットレスカバーのコストが高いという問題があった。
【０００５】
本発明は、前記従来技術の問題に鑑み、使用中に簀子からマットレス本体がずれにくく、組み立やすく安価な脚付きマットレスを提供することを目的としている。
【課題を解決するための手段】
【０００６】
前記目的を達成する手段として本発明は、前後方向に長い縦長な矩形状のマットレス本体と、前記マットレス本体を下から支える簀子と、前記簀子にそれぞれ着脱可能に連結され、前記簀子を介して前記マットレス本体を床面から持ち上げ支持する複数本の脚とを有し、
前記簀子は、左右方向に長い横長な矩形状の複数枚の簀子板と、前記マットレス本体の下面の略全面を覆う前後方向に長い縦長な矩形状をなし、その前端縁と後端縁との間に前記複数枚の簀子板が前後方向に離間した並列状態で取り付けられた折り曲げ可能且つ通気性を有するシート体とを備え、前記シート体の周縁部がスライドファスナーによって前記マットレス本体の下面に着脱可能に連結されて、前記簀子がスライドファスナーによって前記マットレス本体の下面に着脱可能に連結されていることを特徴とする脚付きマットレスを提供する。
【０００７】
この脚付きマットレスによれば、マットレス本体は、例えば、気密性のある袋に入れてその袋ごと厚さ方向に圧縮し、その状態で袋の開口部を封止し、その圧縮状態からさらにロール状に巻いて圧縮ロールマットレスとなし、簀子は、例えば、巻き取り又は折り畳んで簀子板束となし、これら圧縮ロールマットレスと簀子板束を含む全ての構成部品を段ボール箱１個にまとめて入れた１個口の梱包状態又は段ボール箱２個に分けて入れた２個口の梱包状態で流通させることができる。
【０００８】
前記シート体は不織布であることが好ましい。
【０００９】
前記スライドファスナーは、一対のファスナーテープと、前記一対のファスナーテープの対向するテープ側縁部にそれぞれ取り付けられた一対のファスナーエレメント列と、前記一対のファスナーエレメント列を噛合・分離させるスライダーとを備え、一方のファスナーテープが前記シート体の周縁部に全周に亘って設けられ、他方のファスナーテープが前記一方のファスナーテープに沿って前記マットレス本体の下面に前後方向に長い縦長な矩形状に設けられていることが好ましい。
【００１０】
前記簀子に着脱可能に連結され、前記複数枚の簀子板の少なくとも左右両端部を下から支えるフレームをさらに有し、前記複数本の脚は、前記フレームにそれぞれ着脱可能に連結されて、前記フレームを介して前記簀子にそれぞれ着脱可能に連結されていることが好ましい。
【００１１】
前記フレームは、前後方向に延びて前記複数枚の簀子板の左右両端部を下から支える左縦桟と右縦桟とを備え、前記左縦桟と前記右縦桟は、それぞれ、同じ長さを有する前縦桟と後縦桟とに分割形成されており、
左右の前記前縦桟の前端部が最も前方に配置された一枚の簀子板の左右両端部にそれぞれ下から重ね合わされた状態でその簀子板の左右両端部にそれぞれ着脱可能に連結され、
左右の前記後縦桟の後端部が最も後方に配置された一枚の簀子板の左右両端部にそれぞれ下から重ね合わされた状態でその簀子板の左右両端部にそれぞれ着脱可能に連結され、
左右の前記前縦桟の後端部と左右の前記後縦桟の前端部とが中央に配置された一枚の簀子板の左右両端部にそれぞれ下から重ね合わされた状態でその簀子板の左右両端部にそれぞれ着脱可能に連結されていることが好ましい。
【００１２】
前記フレームは、左右方向に延びて前記左縦桟と前記右縦桟とを繋ぐ前横桟と後横桟と中横桟とをさらに備え、
前記前横桟は、その左右両端部が左右の前記前縦桟の前端部に下から重ね合わされた状態でその左右の前縦桟の前端部下面間に横架され、前記前横桟の左右両端部が、最も前方に配置された前記一枚の簀子板の左右両端部との間に左右の前記前縦桟の前端部を挟んだ状態で最も前方に配置された前記一枚の簀子板の左右両端部にそれぞれ着脱可能に連結され、
前記後横桟は、その左右両端部が左右の前記後縦桟の後端部に下から重ね合わされた状態でその左右の後縦桟の後端部下面間に横架され、前記後横桟の左右両端部が、最も後方に配置された前記一枚の簀子板の左右両端部との間に左右の前記後縦桟の後端部を挟んだ状態で最も後方に配置された前記一枚の簀子板の左右両端部にそれぞれ着脱可能に連結され、
前記中横桟は、その左右両端部が左右の前記前縦桟の後端部と左右の前記後縦桟の前端部に下から重ね合わされた状態でその左右の前縦桟の後端部の下面と左右の前記後縦桟の前端部の下面間に横架され、前記中横桟の左右両端部が、中央に配置された前記一枚の簀子板の左右両端部との間に左右の前記前縦桟の後端部と左右の前記後縦桟の前端部とを挟んだ状態で中央に配置された前記一枚の簀子板の左右両端部にそれぞれ着脱可能に連結され、
前記脚は、前記各横桟に少なくとも左右２本ずつ着脱可能に連結されていることが好ましい。
【００１３】
前記横桟の前記簀子板への連結部材と前記脚の前記横桟への連結部材はボルトであることが好ましい。
【発明の効果】
【００１４】
本発明によれば、簀子がスライドファスナーによってマットレス本体の下面に着脱可能に連結されているため、従来の脚付きマットレスでは必須であった構成、すなわち、マットレス本体とマット支持台とがマットレスカバーによって一体的に被われた構成を無くすことができ、使用中に簀子からマットレス本体がずれにくく、組み立やすく安価な脚付きマットレスを提供することができる。
【図面の簡単な説明】
【００１５】
【図１】本発明の実施例１に係る脚付きマットレスの分解底面図である。
【図２】本発明の実施例１に係る脚付きマットレスの底面図である。
【図３】図２のＡ−Ａ線断面図である。
【図４】図２のＢ−Ｂ線断面図である。
【図５】スライドファスナーの構成を示す正面図である。
【図６】圧縮ロールマットレスの形成手順を示す斜視図である。
【図７】簀子板束を示す断面図である。
【図８】本発明の実施例１に係る脚付きマットレスの流通時の状態を示す斜視図である。
【図９】ダブルサイズのマットレス本体を有する脚付きマットレスの底面図である。
【発明を実施するための形態】
【００１６】
以下、本発明の実施例について図面を参照しながら説明する。
【００１７】
本明細書において、前後方向とは、脚付きマットレスの長さ（長手）方向であり、図１においては紙面の左右方向、図２、図３においては紙面の上下方向、図４においては紙面に対する垂直方向である。また、左右方向とは、脚付きマットレスの幅（短手）方向であり、図１においては紙面の上下方向、図２、図４においては紙面の左右方向、図３においては紙面に対する垂直方向である。
【実施例１】
【００１８】
実施例１は、本発明を、幅９７ｃｍ×長さ１９５ｃｍ×高さ１６ｃｍのシングルサイズであって、３１行×１５列の行列状の並行配列で４６５個のポケットコイルが内蔵されて、圧縮可能なポケットコイルマットレスを、マットレス本体として有する脚付きマットレスに適用したものである。
【００１９】
図１は、本発明の実施例１に係る脚付きマットレス１の分解底面図、図２は、脚付きマットレス１の底面図、図３は、図２のＡ−Ａ線断面図、図４は、図２のＢ−Ｂ線断面図である。
【００２０】
図１〜図４に示すように、脚付きマットレス１は、マットレス本体１０と、マットレス本体１０の下面に着脱可能に連結され、マットレス本体１０を下から支える簀子２０と、簀子２０に着脱可能に連結され、簀子２０を下から支えるフレーム３０と、フレーム３０に着脱可能に連結され、簀子２０とフレーム３０を介してマットレス本体１０を床面から持ち上げ支持する６本の脚４０とを有して構成されている。
【００２１】
マットレス本体１０は、スプリングユニット１１と、スプリングユニット１１を被覆する外装体１７とを備えて、圧縮可能なコイルスプリングマットレスに構成されている。具体的には、幅９７ｃｍ×長さ１９５ｃｍ×高さ１６ｍｍのシングルサイズであって、３１行×１５列の行列状の並行配列で４６５個のポケットコイル１２が内蔵されて、圧縮可能なポケットコイルマットレスに構成されている。
【００２２】
スプリングユニット１１は、４６５個のポケットコイル１２を一水平面上で３１行×１５列の行列状の並行配列で並べて平面形状が前後方向に長い縦長な矩形状に構成されている。ポケットコイル１２は、上下方向に伸縮可能な金属製のコイルスプリング１３と、コイルスプリング１３を被覆する円筒形状の袋体１４からなる。袋体１４は、不織布からなる。スプリングユニット１１の前後方向に並ぶ同一列の３１個のポケットコイル１２の袋体１４は、一枚の帯状の不織布からなり、連続一体に繋がっている。隣り合う列のポケットコイル１２の袋体１４同士が、ホットメルト等の接着剤により接着されている。
【００２３】
スプリングユニット１１の上面には不織布１５が積層されており、スプリングユニット１１と不織布１５の積層体が外装体１７によって被覆されている。不織布１５は、スプリングユニット１１の上面でポケットコイル１２の袋体１４に対してホットメルト等の接着剤により接着されている。また、不織布１５の外側部がスプリングユニット１１の周側部に折り曲げられて、不織布１５の折り曲げ縁部が複数のクリップ１６によってスプリングユニット１１の周側部でポケットコイル１２の袋体１４に対して止着されている。
【００２４】
外装体１７は、上部外装体１８と、下部外装体１９からなる。上部外装体１８は、スプリングユニット１１の上面を被覆する前後方向に長い縦長な矩形状の上鏡地部１８ａと、上鏡地部１８ａの周縁部から下向きに延出されてスプリングユニット１１の周側面を被覆する矩形枠状のまち地部１８ｂとを有して、下面が開口された箱形状に形成されている。上部外装体１８は、ポリエステル繊維からなる表地と不織布からなる裏地との間に詰め物としてのウレタンフォームを介在させ、これら三者を一体にキルティング加工して形成されたキルティング生地からなる。
【００２５】
下部外装体１９は、前後方向に長い縦長な矩形状をなし、下部外装体１９の周縁部がまち地部１８ｂの下端に縫合連結され、上部外装体１８の下面開口を閉鎖するとともに、スプリングユニット１１の下面を被覆している。すなわち、スプリングユニット１１の下面を被覆する前後方向に長い縦長な矩形状の下鏡地が下部外装体１９となっており、下部外装体１９によってマットレス本体１０の下面が形成されている。下部外装体１９は、目付けが８０ｇ／ｍ2の不織布からなる。下部外装体１９は、スプリングユニット１１の下面でポケットコイル１２の袋体１４に対してホットメルト等の接着剤により接着されている。
【００２６】
簀子２０は、幅８ｃｍ×長さ７８ｃｍ×厚さ１．５ｃｍで左右方向に長い横長な矩形状の１１枚の簀子板２１と、幅８２ｃｍ×長さ１９０ｃｍでマットレス本体１０の下面（下部外装体１９）の略全面を覆う前後方向に長い縦長な矩形状の折り曲げ可能且つ通気性を有するシート体２２とを備え、シート体２２の前端縁と後端縁との間の一表面上に１１枚の簀子板２１が前後方向に略等間隔で離間した並列状態で取り付けられて、巻き取りや折り畳み可能に構成されている。１１枚の簀子板２１は、それぞれ、木製である。シート体２２は、目付けが８０ｇ／ｍ2の不織布からなる。１１枚の簀子板２１は、それぞれ、複数のステープル２３によってシート体２２に止着されている。
【００２７】
シート体２２の簀子板取り付け面がマットレス本体１０の下面に対向した状態で、シート体２２の周縁部がスライドファスナー５０によってマットレス本体１０の下面に着脱可能に連結されて、簀子２０がスライドファスナー５０によってマットレス本体１０の下面に着脱可能に連結されている。
【００２８】
スライドファスナー５０は、図５に示すように、一対のファスナーテープ５１ａ、５１ｂと、一対のファスナーテープ５１ａ、５１ｂの対向するテープ側縁部にそれぞれ取り付けられた一対のファスナーエレメント（務歯）列５２ａ、５２ｂと、一対のファスナーエレメント列５２ａ、５２ｂを噛合・分離させるスライダー５３と、一対のファスナーテープ５１ａ、５１ｂのテープ側縁部の一端部に取り付けられる一対の止め具５４ａ、５４ｂと、一対のファスナーテープ５１ａ、５１ｂのテープ側縁部の他端部に取り付けられる開き具５５とを備えて構成されている。開き具５５は、一方のファスナーテープ５１ａのテープ側縁部の他端部に取り付けられる蝶棒５５ａと、他方のファスナーテープ５１ａのテープ側縁部の他端部に取り付けられる箱棒５５ｂと、箱棒５５ｂの先端部に一体形成された箱体５５ｃとを備えて構成されている。
【００２９】
一対のファスナーテープ５１ａ、５１ｂ（一対のファスナーエレメント列５２ａ、５２ｂ）が分離された状態のスライドファスナー５０を閉じるときは、スライダー５３を箱体５５ｃに付くまで図５の紙面下側に移動して、蝶棒５５ａをスライダー５３を通して箱体５５ｃに差し込み、スライダー５３を図５の紙面上側に移動させることにより、分離状態の一対のファスナーエレメント列５２ａ、５２ｂを噛み合わせる。一対のファスナーテープ５１ａ、５１ｂが噛み合わされた状態のスライドファスナー５０を開いて分離するときは、スライダー５３を箱体５５ｃに付くまで図５の紙面下側に移動して、噛合状態の一対のファスナーエレメント列５２ａ、５２ｂを分離させ、蝶棒５５ａを箱体５５ｃ及びスライダー５３から引き抜く。図５中の符号５３ａは、スライダー５３の引手である。
【００３０】
スライドファスナー５０は、図１〜図４に戻って、開き具５５の蝶棒５５ａを備える一方のファスナーテープ５１ａが簀子２０のシート体２２の周縁部に全周に亘って縫合連結されて設けられ、スライダー５３及び開き具５５の箱棒５５ｂと箱体５５ｃを備える他方のファスナーテープ５１ｂが一方のファスナーテープ５１ａに沿ってマットレス本体１０の下面に前後方向に長い縦長な矩形状に縫合連結されて設けられている。これによって、シート体２２の簀子板取り付け面がマットレス本体１０の下面に対向した状態で、シート体２２の周縁部が全周に亘ってスライドファスナー５０によってマットレス本体１０の下面に着脱可能に連結されて、簀子２０の周縁部が全周に亘ってスライドファスナー５０によってマットレス本体１０の下面に着脱可能に連結されている。
【００３１】
フレーム３０を簀子２０に着脱可能に連結するための２０組の金属製のボルト６０・ナット６１を備えている。簀子２０の１１枚の簀子板２１のうち、最も前方に配置された一枚（図１において左から１枚目）の簀子板２１（以下「前簀子板２１ａ」という。）の左右両端部と、最も後方に配置された一枚（図１において左から１１枚目）の簀子板２１（以下「後簀子板２１ｂ」という。）の左右両端部と、中央に配置された一枚（図１において左から６枚目）の簀子板２１（以下「中簀子板２１ｃ」という。）の左右両端部と、前簀子板２１ａと中簀子板２１ｃの中間部に配置された一枚（図１において左から３枚目）の簀子板２１（以下「前中簀子板２１ｄ」という。）の左右両端部と、後簀子板２１ｂと中簀子板２１ｃの中間部に配置された一枚（図１において左から９枚目）の簀子板２１（以下「後中簀子板２１ｅ」という。）の左右両端部とに、予め、ナット６１がそれぞれ下穴を介して埋め込まれている。
【００３２】
前簀子板２１ａの両端部と後簀子板２１ｂの両端部には、ナット６１が２個ずつ前後方向に並べられて設けられている。中簀子板２１ｃの両端部には、ナット６１が一段に２個ずつ左右方向に並べられて前後２段で合計４個ずつ設けられている。前中簀子板２１ｄの両端部と後中簀子板２１ｅの両端部には、ナット６１が１個ずつ設けられている。シート体２２には、２０個のナット６１に対応する位置にボルト挿通用の孔がそれぞれ設けられている。ナット６１は、つば付きタイプで、ねじ込みタイプの鬼目ナットである。ナット６１のサイズはＭ６である。ボルト６１は、プラスドライバー（工具）によって締緩作業が行える（＋）トラス頭ボルトである。
【００３３】
フレーム３０は、前後方向に延びて１１枚の簀子板２１の左右両端部を下から支える幅８ｃｍ×長さ１８０ｃｍ×厚さ２．５ｃｍの左縦桟３１と右縦桟３２とを備えている。左縦桟３１と右縦桟３２は、それぞれ、前後に半分に分割形成されており、幅８ｃｍ×長さ９０ｃｍ×厚さ２．５ｃｍの前縦桟３１ａ、３２ａと後縦桟３１ｂ、３２ｂからなる。左縦桟３１と右縦桟３２は、左右の前縦桟３１ａ、３２ａの前端部が前簀子板２１ａの左右端部にそれぞれ下から重ね合わされ、左右の後縦桟３１ｂ、３２ｂの後端部が後簀子板２１ｂの左右両端部にそれぞれ下から重ね合わされ、左右の前縦桟３１ａ、３２ａの後端部と左右の後縦桟３１ｂ、３２ｂの前端部とが中簀子板２１ｃの左右両端部にそれぞれ下から重ね合された状態で、１１枚の簀子板２１の左右両端部の下に前後方向に架設されている。
【００３４】
フレーム３０は、左右方向に延びて左縦桟３１と右縦桟３２とを繋ぐ幅８ｃｍ×長さ７８ｃｍ×厚さ１．５ｃｍの前横桟３３ａと後横桟３３ｂと中横桟３３ｃとをさらに備えている。前横桟３３ａは、前横桟３３ａの左右両端部が左右の前縦桟３１ａ、３２ａの前端部に下から重ね合わされた状態で左右の前縦桟３１ａ、３２ａの前端部下面間に横架されて前簀子板２１ａに対向している。後横桟３３ｂは、後横桟３３ｂの左右両端部が左右の後縦桟３１ｂ、３２ｂの後端部に下から重ね合された状態で左右の後縦桟３１ｂ、３２ｂの後端部下面間に横架されて後簀子板２１ｂに対向している。中横桟３３ｃは、中横桟３３ｃの左右両端部が左右の前縦桟３１ａ、３２ａの後端部と左右の後縦桟３１ｂ、３２ｂの前端部に下から重ね合された状態で左右の前縦桟３１ａ、３２ａの後端部の下面と左右の後縦桟３１ｂ、３２ｂの前端部の下面間に横架されて中簀子板２１ｃに対向している。
【００３５】
フレーム３０の４枚の縦桟３１ａ、３１ｂ、３２ａ、３２ｂには、簀子２０側に設けられた２０個のナット６１に対応する位置にボルト挿通用の孔３４がそれぞれ設けられている。フレーム３０の３枚の横桟３３ａ、３３ｂ、３３ｃには、簀子２０側に設けられた１６個（前中簀子板２１ｄと後中簀子板２１ｅに設けられた４個以外）のナット６１に対応する位置にボルト挿通用の孔３５がそれぞれ設けられている。
【００３６】
左右の前縦桟３１ａ、３２ａの前後中間部の一箇所が前中簀子板２１ｄの左右両端部に対して、それらの部分に設けられたボルト挿通用の孔３４を介して片側１組ずつのボルト６０・ナット６１によって着脱可能に連結されている。
【００３７】
左右の後縦桟３１ｂ、３２ｂの前後中間部の一箇所が後中簀子板２１ｅの左右両端部に対して、それらの部分に設けられたボルト挿通用の孔３４を介して片側１組ずつのボルト６０・ナット６１によって着脱可能に連結されている。
【００３８】
前横桟３３ａの左右両端部と左右の前縦桟３１ａ、３２ａの前端部とが、前横桟３３ａの左右両端部と前簀子板２１ａの左右両端部との間に左右の前縦桟３１ａ、３２ａの前端部を挟んだ状態で前簀子板２１ａの左右両端部に対して、それらの部分に設けられたボルト挿通用の孔３４、３５を介して左右２組ずつ合計４組のボルト６０・ナット６１によって一体的に着脱可能に連結されている。
【００３９】
後横桟３３ｂの左右両端部と左右の後縦桟３１ｂ、３２ｂの後端部とが、後横桟３３ｂの左右両端部と後簀子板２１ｂの左右両端部との間に左右の後縦桟３１ｂ、３２ｂの後端部を挟んだ状態で後簀子板２１ｂの左右両端部に対して、それらの部分に設けられたボルト挿通用の孔３４、３５を介して左右２組ずつ合計４組のボルト６０・ナット６１によって一体的に着脱可能に連結されている。
【００４０】
中横桟３３ｃの左右両端部と左右の前縦桟３１ａ、３２ａの後端部とが、中横桟３３ｃの左右両端部と中簀子板２１ｃの左右両端部との間に左右の前縦桟３１ａ、３２ａの後端部を挟んだ状態で中簀子板２１ｃの左右両端部に対して、それらの部分に設けられたボルト挿通用の孔３４、３５を介して左右２組ずつ合計４組のボルト６０・ナット６１によって一体的に着脱可能に連結されている。
【００４１】
中横桟３３ｃの左右両端部と左右の後縦桟３１ｂ、３２ｂの前端部とが、中横桟３３ｃの左右両端部と中簀子板２１ｃの左右両端部との間に左右の後縦桟３１ｂ、３２ｂの前端部を挟んだ状態で中簀子板２１ｃの左右両端部に対して、それらの部分に設けられたボルト挿通用の孔３４、３５を介して左右２組ずつ合計４組のボルト６０・ナット６１によって一体的に着脱可能に連結されている。
【００４２】
これによって、フレーム３０が、４枚の縦桟３１ａ、３１ｂ、３２ａ、３２ｂと３枚の横桟３３ａ、３３、３３ｃによって平面形状が「日」の字形状に構成されている。フレーム３０の４枚の縦桟３１ａ、３１ｂ、３２ａ、３２ｂと３枚の横桟３３ａ、３３ｂ、３３ｃは、それぞれ、木製である。
【００４３】
６本の脚４０をフレーム３０に着脱可能に連結するための６組の金属製のボルト７０・ナット７１を備えている。フレーム３０の３枚の横桟３３ａ、３３ｂ、３３ｃの簀子板２１ｃへの連結部である左右両端部の直ぐ内側で、左縦桟３１と右縦桟３２から外れた左右の２箇所に、予め、ナット７１がそれぞれ下穴を介して埋め込まれている。ナット７１は、ナット６１と同じものである。
【００４４】
各脚４０は、それぞれ、直径６ｃｍ×高さ１４ｃｍのパイン材からなる円柱体である。ボルト７０は、軸長の略半分が木ネジ部、もう残りの略半分がボルト部になっているハンガーボルトからなり、木ネジ部が各脚４０の上面中心部に下穴を介してねじ込まれ、ボルト部が各脚４０の上面中心部から突出した状態で、予め、各脚４０に取り付けられている。
【００４５】
各脚４０の上面中心部から突出したボルト７０を、各脚４０を回しながら、フレーム３０側に設けられた６個のナット７１に螺合することによって、６本の脚４０がフレーム３０の３枚の横桟３３ａ、３３ｂ、３３ｃに左右２本ずつ着脱可能に連結されている。各脚４０の下面には、床面への傷防止用のフェルト４１が貼着されている。
【００４６】
以上のように構成された脚付きマットレス１は、工場での梱包時に、マットレス本体１０は、図６（ｅ）に示す圧縮ロールマットレス１００となし、簀子２０は、図７に示す簀子板束２００となし、これら圧縮ロールマットレス１００と簀子板束２００とを含む全ての構成部品が、図８に示す幅３８ｃｍ×高さ３８ｃｍ×奥行（長さ）５７ｃｍで三辺合計が１３３ｃｍの第１段ボール箱９０と幅２０ｃｍ×高さ２４ｃｍ×奥行（長さ）９０ｃｍで三辺合計が１３４ｃｍの第２段ボール箱９１とに分けて入れた２個口の梱包状態で出荷され、この２個口の梱包状態で流通されて、最終的に宅配業者によって使用者まで届けられる。
【００４７】
図６に示すように、圧縮ロールマットレス１００は、以下の手順で形成されている。
【００４８】
先ず、図６（ａ）に示すように、幅９７ｃｍ×長さ１９５ｃｍ×高さ１６ｃｍのマットレス本体１０を、それよりも一回り大きいサイズで、一辺側に開口部１０１ａが設けられているポリエチレンフィルム等からなる気密性を有する合成樹脂袋１０１に入れる。
【００４９】
次に、図６（ｂ）に示すように、合成樹脂袋１０１に入れたマットレス本体１０をプレス機のプランジャ下端に取り付けられた押え板を使用して合成樹脂袋１０１ごと上から押圧することで、合成樹脂袋１０１に入れたマットレス本体１０をその厚さ方向に合成樹脂袋１０１ごと圧縮して合成樹脂袋１０１の内部から空気（合成樹脂袋１０１の内部の空気及びマットレス本体１０の内部に含まれる空気）を強制的に排出させ、この圧縮状態で合成樹脂袋１０１の開口部１０１ａを溶着することによって封止する。すると、合成樹脂袋１０１は密封されて、内部のマットレス本体１０はその厚さ方向に圧縮された状態を維持して復元することはない。
【００５０】
次に、図６（ｃ）に示すように、合成樹脂袋１０１に密封状に圧縮収容されたマットレス本体１０を、その左右方向（幅方向）の最も内側の隣接する２列のポケットコイル１２列の間でマットレス本体１０の前後方向（長さ方向）に沿って縦に二つ折りし、この二つ折り状態でポリエチレンフィルム等からなる帯状の合成樹脂フィルム１０２の上に載置する。
【００５１】
次に、図６（ｄ）に示すように、合成樹脂フィルム１０２の上に二つ折り状態で載置されたマットレス本体１０をその合成樹脂フィルム１０２と一緒にロール状に巻く。この際は、先ず巻き取り機の巻き取り軸の外周（予め、段ボールを丸めてなる段ボール筒で覆ってある。）に合成樹脂フィルム１０２のみを複数回巻き取り、その後合成樹脂フィルム１０２に張力を掛けながら、その合成樹脂フィルム１０２と一緒にマットレス本体１０をロール状に巻き取る。マットレス本体１０の巻き取りが終われば、さらに、その外側に合成樹脂フィルム１０２を複数回巻き付けてから合成樹脂フィルム１０２をその幅方向に切断し、圧縮ロールマットレス１００となす。
【００５２】
最後に、図６（ｅ）に示すように、圧縮ロールマットレス１０１の外周に片面粘着テープ１０３を螺旋状に巻き付け、合成樹脂フィルム１０２の巻き終り端部をその下層の合成樹脂フィルム１０２に止めてほぐれないようにして、圧縮ロールマットレス１００の形態が維持されて解除されることがないようにしてから、圧縮ロールマットレス１００を段ボール筒ごと巻き取り機の巻き取り軸から引き抜いて取り出し、その後、圧縮ロールマットレス１００から段ボール筒を引き抜いて圧縮ロールマットレス１００が形成される。
【００５３】
これによって、幅９７ｃｍ×長さ１９５ｃｍ×高さ１６ｃｍのマットレス本体１０は、幅３８ｃｍ×高さ３８ｃｍ×奥行（長さ）５７ｃｍで三辺合計が１３３ｃｍの第１段ボール箱９０に、６本の脚４０と一緒に収容可能な大きさの圧縮ロールマットレス１００に形成される。
【００５４】
図７に示すように、簀子板束２００は、例えば、前簀子板２１ａを中心にしてその周りにシート体２２を巻き取りながら１１枚の簀子板２１を束ねることによって形成される。
【００５５】
これによって、幅８２ｃｍ×長さ１９０ｃｍ×厚さ１．５ｃｍ（シート体２０の厚さは含まず）の簀子２０は、幅２０ｃｍ×高さ２４ｃｍ×奥行（長さ）９０ｃｍで三辺合計が１３４ｃｍの第２段ボール箱９１に、４枚の縦桟３１ａ、３１ｂ、３２ａ、３２ｂと３枚の横桟３３ａ、３３ｂ、３３ｃと２０本のボルト６０、すなわち、分解状態のフレーム３０と一緒に収容可能な大きさの簀子板束２００に形成される。
【００５６】
図８に示す梱包状態で使用者に届けられた脚付きマットレス１は、以下の手順で組み立てられる。
【００５７】
先ず、第１段ボール箱９０と第２段ボール箱９１とを脚付きマットレス１の設置場所（寝室）に搬入した後、圧縮ロールマットレス１００を幅９７ｃｍ×長さ１９５ｃｍ×高さ１６ｃｍの元のマットレス本体１０に戻すため、第１段ボール箱９０から圧縮ロールマットレス１００を取り出し（図６（ｅ）参照）、片面粘着テープ１０３を剥がし（図６（ｄ）参照）、巻き取り状態を解除し（図６（ｃ）参照）、二つ折り状態を解除し（図６（ｂ）参照）、合成樹脂袋１０１の溶着部をはさみで切り取り、合成樹脂袋１０１の一辺を開口して（図６（ａ）参照）、合成樹脂袋１０１と合成樹脂フィルム１０２を取り除く。これによって、圧縮ロールマットレス１００が幅９７ｃｍ×長さ１９５ｃｍ×高さ１６ｃｍの元のマットレス本体１０に戻る。
【００５８】
次に、マットレス本体１０を、その下面（下部外装体１９）を上（天井）に向けた状態で床面に載置した後、マットレス本体１０の下面に簀子２０を取り付けるため、第２段ボール箱９１から簀子板束２００を取り出し、マットレス本体１０の下面上で巻き取り状態を解除し、幅８２ｃｍ×長さ１９０ｃｍ×厚さ１．５ｃｍの元の簀子２０に戻し、シート体２２の簀子板取り付け面をマットレス本体１０の下面に対向した状態で、シート体２２の周縁部を全周に亘ってスライドファスナー５０によってマットレス本体１０の下面に連結して、簀子２０の周縁部を全周に亘ってスライドファスナー５０によってマットレス本体１０の下面に連結する。これによって、マットレス本体１０の下面に簀子２０が取り付けられる。
【００５９】
次に、簀子２０の下面（シート体２２の簀子板取り付け面と反対側の面であり、この時は上（天井）に向いている。）にフレーム１０を組み立てて取り付けるため、４枚の縦桟３１ａ、３１ｂ、３２ａ、３２ｂを１１枚の簀子板２１の左右両端部の上に配置し、左右の前縦桟３１ａ、３２ａの前後中間部の一箇所を前中簀子板２１ｄの左右両端部に、また、左右の後縦桟３１ｂ、３２ｂの前後中間部を後中簀子板２１ｅの左右両端部に、それぞれ、ボルト６０・ナット６１によって連結し、左縦桟３１と右縦桟３２を形成した後、３枚の横桟３３ａ、３３ｂ、３３ｃを左縦桟３１と右縦桟３２の前端部と後端部と前後中間部の上に横架配置し、前横桟３３ａの左右両端部を前簀子板２１ａの左右両端部に、また、後横桟３３ｂの左右端部を後簀子板２１ｂの左右両端部に、さらに、中横桟３３ｃの左右端部を中簀子板２１ｃの左右端部に、それぞれ、ボルト６０・ナット６１によって連結する。これによって、簀子２０の下面に平面形状が「日」の字形状のフレーム１０が組み立てられて取り付けられる。
【００６０】
次に、フレーム１０に６本の脚４０を取り付けるため、各脚４０のボルト７０を各横桟３３ａ、３３ｂ、３３ｃのナット７１に螺合する。これによって、フレーム１０の各横桟３３ａ、３３ｂ、３３ｃに左右２本ずつで、フレーム１０に合計６本の脚４０が取り付けられて、脚付きマットレス１が完成する。
【００６１】
完成した脚付きマットレス１を使用する場合、それを返してマットレス本体１０の上面（上鏡地部１８ａ）を上（天井）に向け、簀子２０とフレーム３０を介してマットレス本体１０を６本の脚４０によって床面から持ち上げ支持する。
【００６２】
以上説明したように、本実施例１の脚付きマットレス１によれば、前後方向に長い縦長な矩形状のマットレス本体１０と、マットレス本体１０を下から支える簀子２０と、簀子２０にそれぞれ着脱可能に連結され、簀子２０を介してマットレス本体１０を床面から持ち上げ支持する６本の脚４０とを有し、簀子２０は、左右方向に長い横長な矩形状の１１枚の簀子板２１と、マットレス本体１０の下面の略全面を覆う前後方向に長い縦長な矩形状をなし、その前端縁と後端縁との間に１１枚の簀子板２１が前後方向に離間した並列状態で取り付けられた折り曲げ可能且つ通気性を有するシート体２２とを備え、シート体２２の周縁部がスライドファスナー５０によってマットレス本体１０の下面に着脱可能に連結されて、簀子２０がスライドファスナー５０によってマットレス本体１０の下面に着脱可能に連結されているため、従来の脚付きマットレスでは必須であった構成、すなわち、マットレス本体とマット支持台とがマットレスカバーによって一体的に被われた構成を無くすことができ、使用中に簀子２０からマットレス本体１０がずれにくく、組み立やすく安価な脚付きマットレスを提供することができる。
【００６３】
また、シート体２２は不織布であるため、例えば、織布などに比べて、通気性に優れてマットレス本体１０の通気性を損ないにくいとともに、コストも安く付く。
【００６４】
また、スライドファスナー５０は、一対のファスナーテープ５１ａ、５１ｂと、一対のファスナーテープ５１ａ、５１ｂの対向するテープ側縁部にそれぞれ取り付けられた一対のファスナーエレメント列５２ａ、５２ｂと、一対のファスナーエレメント列５２ａ、５２ｂを噛合・分離させるスライダー５３とを備え、一方のファスナーテープ５１ａがシート体２２の周縁部に全周に亘って設けられ、他方のファスナーテープ５１ｂが一方のファスナーテープ５１ａに沿ってマットレス本体１０の下面に前後方向に長い縦長な矩形状に設けられているため、シート体２２の周縁部を全周に亘ってスライドファスナー５０によってマットレス本体１０の下面に連結して、簀子２０の周縁部を全周に亘ってスライドファスナー５０によってマットレス本体１０の下面に連結することができ、例えば、シート体２２の周縁部（矩形状の４辺）のうち、対向する２辺を別々のスライドファスナーによってマットレス本体１０の下面に連結すること、又は、その２辺に残り２辺のうちの１辺を加えた３辺を一連のスライドファスナーによってマットレス本体１０の下面に連結することに比べて、簀子２０のマットレス本体１０の下面への連結強度を高くすることができる。
【００６５】
また、簀子２０に着脱可能に連結され、複数枚の簀子板２１の少なくとも左右両端部を下から支えるフレーム３０をさらに有し、複数本の脚４０は、フレーム３０にそれぞれ着脱可能に連結されて、フレーム３０を介して簀子２０にそれぞれ着脱可能に連結されているため、複数枚の簀子板２１に掛かる荷重をフレーム３０によって受けてシート体２２に伝えることなく複数本の脚４０に伝えることができる。
【００６６】
また、フレーム３０は、前後方向に延びて複数枚の簀子板２１の左右両端部を下から支える左縦桟３１と右縦桟３２とを備え、左縦桟３１と右縦桟３２は、それぞれ、同じ長さを有する前縦桟３１ａ、３２ａと後縦桟３１ｂ、３２ｂとに分割形成されており、左右の前縦桟３１ａ、３２ａの前端部が最も前方に配置された一枚の前簀子板２１ａの左右両端部にそれぞれ下から重ね合わされた状態でその前簀子板２１ａの左右両端部にそれぞれ着脱可能に連結され、左右の後縦桟３１ｂ、３２ｂの後端部が最も後方に配置された一枚の後簀子板２１ｂの左右両端部にそれぞれ下から重ね合わされた状態でその後簀子板２１ｂの左右両端部にそれぞれ着脱可能に連結され、左右の前縦桟３１ａ、３２ａの後端部と左右の後縦桟３１ｂ、３２ｂの前端部とが中央に配置された一枚の中簀子板２１ｃの左右両端部にそれぞれ下から重ね合わされた状態でその中簀子板２１ｃの左右両端部にそれぞれ着脱可能に連結されているため、例えば、左右の前縦桟３１ａ、３２ａの後端部と左右の後縦桟３１ｂ、３２ｂの前端部とを金具と締結部材などを利用して繋ぎ、左右の前縦桟３１ａ、３２ａの前端部を最も前方に配置された一枚の前簀子板２１ａの左右両端部にそれぞれ下から重ね合わされた状態でその前簀子板２１ａの左右両端部にそれぞれ着脱可能に連結し、左右の後縦桟３１ｂ、３２ｂの後端部を最も後方に配置された一枚の後簀子板２１ｂの左右両端部にそれぞれ下から重ね合わされた状態でその後簀子板２１ｂの左右両端部にそれぞれ着脱可能に連結し、左右の前縦桟３１ａ、３２ａの後端部と左右の後縦桟３１ｂ、３２ｂの前端部はいずれの簀子板２１にも連結しない場合に比べて、フレーム３０の強度及びフレーム３０の簀子２０への連結強度を高くすることができる。
【００６７】
また、フレーム３０は、左右方向に延びて左縦桟３１と右縦桟３２とを繋ぐ前横桟３３ａと後横桟３３ｂと中横桟３３ｃとをさらに備え、前横桟３３ａは、その左右両端部が左右の前縦桟３１ａ、３２ａの前端部に下から重ね合わされた状態でその左右の前縦桟３１ａ、３２ａの前端部下面間に横架され、前横桟３３ａの左右両端部が、最も前方に配置された一枚の前簀子板２１ａの左右両端部との間に左右の前縦桟３１ａ、３２ａの前端部を挟んだ状態で最も前方に配置された一枚の前簀子板２１ａの左右両端部にそれぞれ着脱可能に連結され、後横桟３３ｂは、その左右両端部が左右の後縦桟３１ｂ、３２ｂの後端部に下から重ね合わされた状態でその左右の後縦桟３１ｂ、３２ｂの後端部下面間に横架され、後横桟３３ｂの左右両端部が、最も後方に配置された一枚の後簀子板２１ｂの左右両端部との間に左右の後縦桟３１ｂ、３２ｂの後端部を挟んだ状態で最も後方に配置された一枚の後簀子板２１ｂの左右両端部にそれぞれ着脱可能に連結され、中横桟３３ｃは、その左右両端部が左右の前縦桟３１ａ、３２ａの後端部と左右の後縦桟３１ｂ、３２ｂの前端部に下から重ね合わされた状態でその左右の前縦桟３１ａ、３２ａの後端部の下面と左右の後縦桟３１ｂ、３２ｂの前端部の下面間に横架され、中横桟３３ｃの左右両端部が、中央に配置された一枚の中簀子板２１ｃの左右両端部との間に左右の前縦桟３１ａ、３２ａの後端部と左右の後縦桟３１ｂ、３２ｂの前端部とを挟んだ状態で中央に配置された一枚の中簀子板２１ｃの左右両端部にそれぞれ着脱可能に連結され、脚４０は、各横桟３３ａ、３３ｂ、３３ｃに少なくとも左右２本ずつ着脱可能に連結されているため、例えば、左縦桟３１と右縦桟３２とを繋ぐ前横桟３３ａと後横桟３３ｂと中横桟３３ｃとを備えない場合に比べて、フレーム３０の強度及びフレーム３０の簀子２０への連結強度を高くすることができるとともに、各横桟３３ａ、３３ｂ、３３ｃの左右の２本の脚４０の間にさらに１本ずつ脚４０を追加するなど、左縦桟３１と右縦桟３２との間に脚４０を容易に追加することができる。
【００６８】
横桟３３ａ、３３ｂ、３３ｃの簀子板２１への連結部材と脚４０の横桟３３ａ、３３ｂ、３３ｃへの連結部材はボルト６０、７０であるため、脚付きマットレス１の組み立て・分解を容易に行うことができる。
【００６９】
なお、本発明は、本実施例１に例示したものに限定されるものではなく、本発明の要旨を逸脱しない範囲において適宜変更可能である。
【００７０】
本実施例１の脚付きマットレス１のマットレス本体１０は、幅９７ｃｍ×長さ１９５ｃｍ×高さ１６ｍｍのシングル（Ｓ）サイズであって、３１行×１５列の行列状の並行配列で４６５個のポケットコイル１２が内蔵されて、圧縮可能なポケットコイルマットレスであるが、これに代えて、幅８０ｃｍ×長さ１９５ｃｍ×高さ１６ｍｍのセミシングル（ＳＳ）サイズであって、３１行×１２列の行列状の並行配列で３７２個のポケットコイルが内蔵されて、圧縮可能なポケットコイルマットレス、幅１２０ｃｍ×長さ１９５ｃｍ×高さ１６ｍｍのセミダブル（ＳＤ）サイズであって、３１行×１９列の行列状の並行配列で５８９個のポケットコイルが内蔵されて、圧縮可能なポケットコイルマットレス、幅１４０ｃｍ×長さ１９５ｃｍ×高さ１６ｍｍのダブル（Ｄ）サイズであって、３１行×２２列の行列状の並行配列で６８２個のポケットコイルが内蔵されて、圧縮可能なポケットコイルマットレスとしてもよい。
【００７１】
セミシングル（ＳＳ）の場合、マットレス本体、簀子及びフレームの幅がシングル（Ｓ）に比べて小さくなるため、圧縮ロールマットレスにする際に、図６（ｃ）に示した手順におけるマットレス本体を前後方向（長さ方向）に沿って縦に二つ折りにする折り畳み手順が省略され、工場での梱包時には、圧縮ロールマットレスと簀子板束を含む全ての構成部品は、幅３５ｃｍ×高さ３７ｃｍ×奥行（長さ）９０ｃｍで三辺合計が１６２ｃｍの段ボール箱１個にまとめて入れた１個口の梱包状態で出荷され、この１個口の梱包状態で流通される。
【００７２】
セミダブル（ＳＤ）及びダブル（Ｄ）の場合、マットレス本体、簀子及びフレームの幅がシングル（Ｓ）に比べて大きくなるため、圧縮ロールマットレスにする際に、図６（ｃ）に示した手順におけるマットレス本体を前後方向（長さ方向）に沿って縦に二つ折りにする折り畳み手順は省略されず、工場での梱包時には、圧縮ロールマットレスと簀子板束とを含む全ての構成部品が、セミダブル（ＳＤ）は、幅３８ｃｍ×高さ３８ｃｍ×奥行（長さ）６７ｃｍで三辺合計が１４３ｃｍの第１段ボール箱と幅２０ｃｍ×高さ２４ｃｍ×奥行（長さ）１０３ｃｍで三辺合計が１４７ｃｍの第２段ボール箱とに分けて入れた２個口の梱包状態で出荷され、この２個口の梱包状態で流通され、ダブル（Ｄ）は、幅３８ｃｍ×高さ３８ｃｍ×奥行（長さ）７６ｃｍで三辺合計が１５２ｃｍの第１段ボール箱と幅２０ｃｍ×高さ２４ｃｍ×奥行（長さ）１２３ｃｍで三辺合計が１６７ｃｍの第２段ボール箱とに分けて入れた２個口の梱包状態で出荷され、この２個口の梱包状態で流通される。
【００７３】
また、本実施例１の脚付きマットレス１のマットレス本体１０に代えて、幅８０ｃｍ×長さ１９５ｃｍ×高さ１６ｍｍのセミシングル（ＳＳ）サイズであって、２５行×６列の行列状の並行配列で１５０個のコイルスプリング（ボンネルコイル）が内蔵されて、圧縮可能なボンネルコイルマットレス、幅９７ｃｍ×長さ１９５ｃｍ×高さ１６ｍｍのシングル（Ｓ）サイズであって、２５行×８列の行列状の並行配列で２００個のコイルスプリング（ボンネルコイル）が内蔵されて、圧縮可能なボンネルコイルマットレス、幅１２０ｃｍ×長さ１９５ｃｍ×高さ１６ｍｍのセミダブル（ＳＤ）サイズであって、２５行×１０列の行列状の並行配列で２５０個のコイルスプリング（ボンネルコイル）が内蔵されて、圧縮可能なボンネルコイルマットレス、幅１４０ｃｍ×長さ１９５ｃｍ×高さ１６ｍｍのダブル（Ｄ）サイズであって、２５行×１２列の行列状の並行配列で３００個のコイルスプリング（ボンネルコイル）が内蔵されて、圧縮可能なボンネルコイルマットレスとしてもよい。
【００７４】
ボンネルコイルマットレスは、上下方向に伸縮可能な金属製の複数のコイルスプリング（ボンネルコイル）を一水平面上で行列状の並行配列で並べ、隣り合うコイルスプリングの上端面と下端面とをそれぞれ螺旋状の針金からなるヘリカルスプリング（ヘリカル線）で連結して、平面形状が前後方向に長い縦長な矩形状のスプリングユニットとし、それを外装体で被覆した構造を有するものである。
【００７５】
ボンネルコイルマットレスは、その構造上、全てのサイズにおいて、圧縮ロールマットレスにする際に、図６（ｃ）に示した手順におけるマットレス本体を前後方向（長さ方向）に沿って縦に二つ折りにする折り畳み手順が省略され、工場での梱包時には、圧縮ロールマットレスと簀子板束を含む全ての構成部品が、セミシングル（ＳＳ）は、幅３５ｃｍ×高さ３７ｃｍ×奥行（長さ）９０ｃｍで三辺合計が１６２ｃｍの段ボール箱１個にまとめて入れた１個口の梱包状態で出荷され、この１個口の梱包状態で流通され、シングル（Ｓ）は、幅３５ｃｍ×高さ３７ｃｍ×奥行（長さ）１０２ｃｍで三辺合計が１７４ｃｍの段ボール箱１個にまとめて入れた１個口の梱包状態で出荷され、この１個口の梱包状態で流通され、セミダブル（ＳＤ）は、幅３５ｃｍ×高さ３７ｃｍ×奥行（長さ）１２７ｃｍで三辺合計が１９５ｃｍの段ボール箱１個にまとめて入れた１個口の梱包状態で出荷され、この１個口の梱包状態で流通され、ダブル（Ｄ）のみ、幅２９ｃｍ×高さ２９ｃｍ×奥行（長さ）１４２ｃｍで三辺合計が２００ｃｍの第１段ボール箱と幅２４ｃｍ×高さ２０ｃｍ×奥行（長さ）１２３ｃｍで三辺合計が１６７ｃｍの第２段ボール箱とに分けて入れた２個口の梱包状態で出荷され、この２個口の梱包状態で流通される。
【００７６】
さらに、本実施例１の脚付きマットレス１のマットレス本体１０に代えて、幅８０ｃｍ×長さ１９５ｃｍ×高さ１６ｍｍのセミシングル（ＳＳ）サイズであって、交互配列で４０３個のポケットコイルが内蔵されて、圧縮可能なポケットコイルマットレス、幅９７ｃｍ×長さ１９５ｃｍ×高さ１６ｍｍのシングル（ＳＳ）サイズであって、交互配列で４６５個のポケットコイルが内蔵されて、圧縮可能なポケットコイルマットレス、幅１２０ｃｍ×長さ１９５ｃｍ×高さ１６ｍｍのセミダブル（ＳＤ）サイズであって、交互配列で５８９個のポケットコイルが内蔵されて、圧縮可能なポケットコイルマットレス、幅１４０ｃｍ×長さ１９５ｃｍ×高さ１６ｍｍのダブル（Ｄ）サイズであって、交互配列で６８２個のポケットコイルが内蔵されて、圧縮可能なポケットコイルマットレスとしてもよい。
【００７７】
交互配列では、スプリングユニットの前後方向に一列に並んでおり、袋体１４が連続一体に繋がっている複数のポケットコイル、すなわち、ポケットコイル列が一列置きにポケットコイルの半径分ずらされて配置された構造を有する。
【００７８】
交互配列のポケットコイルマットレスは、その構造上、全てのサイズにおいて、圧縮ロールマットレスにする際に、図６（ｃ）に示した手順におけるマットレス本体を前後方向（長さ方向）に沿って縦に二つ折りにする折り畳み手順が省略され、工場での梱包時には、ボンネルコイルマットレスと同じ梱包状態で出荷され、この梱包状態で流通される。
【００７９】
図９は、ダブルサイズのマットレス本体１０ａを有する脚付きマットレス１ａの底面図である。本実施例１のシングルサイズのマットレス本体１０を有する脚付きマットレス１とは、フレーム３０ａが、左縦桟３１と右縦桟３２との間に、前後方向に延びて１１枚の簀子板２１の左右中央部を下から支える幅４ｃｍ×長さ１８０ｃｍ×厚さ２．５ｃｍの中縦桟３６であって、前後に半分に分割形成されて幅４ｃｍ×長さ９０ｃｍ×厚さ２．５ｃｍの前縦桟３６ａと後縦桟３６ｂからなる中縦桟３６をさらに備えると共に、各横桟３３ａ、３３ｂ、３３ｃの左右の２本の脚４０の間にさらに１本ずつ脚４０が追加され、合計９本の脚４０を有する点が異なるだけであり、同一構造・機構には同一符号を附してある。
【００８０】
中縦桟３６は、前縦桟３６ａの前端部が前簀子板２１ａの左右中央部に下から重ね合わされ、後縦桟３６ｂの後端部が後簀子板２１ｂの左右中央部に下から重ね合わされ、前縦桟３６ａの後端部と後縦桟３６ｂの前端部とが中簀子板２１ｃの左右中央部にそれぞれ下から重ね合された状態で、１１枚の簀子板２１の左右中央部の下に前後方向に架設されている。
【００８１】
前横桟３３ａの左右中央部と前縦桟３６ａの前端部とが、前横桟３３ａの左右中央部と前簀子板２１ａの左右中央部との間に前縦桟３６ａの前端部を挟んだ状態で前簀子板２１ａの左右中央部に対して、それらの部分に設けられたボルト挿通用の孔３４、３５を介して１組のボルト６０・ナット６１によって一体的に着脱可能に連結されている。
【００８２】
後横桟３３ｂの左右中央部と後縦桟３６ｂの後端部とが、後横桟３３ｂの左右中央部と後簀子板２１ｂの左右中央部との間に後縦桟３６ｂの後端部を挟んだ状態で後簀子板２１ｂの左右中央部に対して、それらの部分に設けられたボルト挿通用の孔３４、３５を介して１組のボルト６０・ナット６１によって一体的に着脱可能に連結されている。
【００８３】
中横桟３３ｃの左右中央部と前縦桟３６ａの後端部とが、中横桟３３ｃの左右中央部と中簀子板２１ｃの左右中央部との間に前縦桟３６ａの後端部を挟んだ状態で中簀子板２１ｃの左右中央部に対して、それらの部分に設けられたボルト挿通用の孔３４、３５を介して１組のボルト６０・ナット６１によって一体的に着脱可能に連結されている。
【００８４】
中横桟３３ｃの左右中央部と後縦桟３６ｂの前端部とが、中横桟３３ｃの左右中央部と中簀子板２１ｃの左右中央部との間に後縦桟３６ｂの前端部を挟んだ状態で中簀子板２１ｃの左右中央部に対して、それらの部分に設けられたボルト挿通用の孔３４、３５を介して１組のボルト６０・ナット６１によって一体的に着脱可能に連結されている。
【００８５】
これによって、フレーム３０ａが、６枚の縦桟３１ａ、３１ｂ、３２ａ、３２ｂ、３６ａ、３６ｂと３枚の横桟３３ａ、３３、３３ｃによって平面形状が「田」の字形状に構成されている。フレーム３０ａの中縦桟３６の２枚の縦桟３６ａ、３６ｂも、それぞれ、木製である。
【符号の説明】
【００８６】
１  脚付きマットレス
１０  マットレス本体
２０  簀子
２１  簀子板
２１ａ  前簀子板
２１ｂ  後簀子板
２１ｃ  中簀子板
２２  シート体
３０  フレーム
３１  左縦桟
３１ａ  前縦桟
３１ｂ  後縦桟
３２  右縦桟
３２ａ  前縦桟
３２ｂ  後縦桟
３３ａ  前横桟
３３ｂ  後横桟
３３ｃ  中横桟
４０  脚
５０  スライドファスナー
５１ａ、５１ｂ  ファスナーテープ
５２ａ、５２ｂ  ファスナーエレメント列
５３  スライダー
６０、７０  ボルト
【図１】
2020103698.tif 000003
【図２】
2020103698.tif 000004
【図３】
2020103698.tif 000005
【図４】
2020103698.tif 000006
【図５】
2020103698.tif 000007
【図６】
2020103698.tif 000008
【図７】
2020103698.tif 000009
【図８】
2020103698.tif 000010
【図９】
2020103698.tif 000011